(57)【特許請求の範囲】
【請求項１】
室内外を仕切る仕切構造に構成された通風路にその室内側開口端から挿通できる両端の開口した接続筒部と、この接続筒部の室内側端に形成され、その接続筒部の端から半径方向へ張出したフランジ部とを有する本体に対して、その接続筒部の室内側の開口部を四箇所の角部において方形をなして囲む四本の脚部を前記フランジ部の室内側に突出して設け、この本体の前記フランジ部の脚部により囲まれる方形部分を前記接続筒部の室内側の開口部から所定の角度で拡開するラッパ状に形成し、その脚部の基部には内側にフィルターを、二本の脚部の間から抜き差し可能に装着しうるフィルター差込み構造を設け、脚部の自由端側には化粧パネルを取付けた通風端末器。
【請求項２】
室内外を仕切る仕切構造に構成された通風路にその室内側開口端から挿通できる両端の開口した接続筒部と、この接続筒部の室内側端に形成され、その接続筒部の端から半径方向へ張出したフランジ部とを有する本体と、この本体の前記フランジ部の室内側に着脱可能に装着されたフィルターと、このフィルターの室内側に該フィルターとの間に間隔を保持して設けられた化粧パネルとを備えた通風端末器であって、その本体の前記接続筒部の室内側の開口部を四箇所の角部において方形をなして囲む四本の脚部を、前記フランジ部の室内側に突出して設け、この本体の前記フランジ部の脚部により囲まれる方形部分を前記接続筒部の室内側の開口部から所定の角度で拡開するラッパ状に形成し、前記フィルターを、通風可能に構成したフィルター枠に収納して、前記脚部の基部の内側に形成したフィルター差込み構造に二本の脚部の間から抜き差し可能に装着し、前記化粧パネルを前記各脚部の自由端側に取付けた通風端末器。
【請求項３】
請求項２に記載の通風端末器であって、フィルター枠を表裏同形に構成するとともに、このフィルター枠の周側部の表裏双方にフランジ部のラッパ状部分に嵌合する斜面を設けた通風端末器。
【請求項４】
請求項３に記載の通風端末器であって、フランジ部のラッパ状の部分の斜面の長さよりフィルター枠の斜面の長さを短くした通風端末器。
【発明の詳細な説明】
【０００１】
【発明の属する技術分野】
本発明は、室内外を仕切る仕切構造に構成された通風路の室内側端に装着される通風端末器に関するものである。
【０００２】
【従来の技術】
室内外を仕切る壁や天井等の仕切構造に構成された給気や排気のための通風路の室内側端には、通風端末器が装着されることが多い。こうした通風端末器は、通風に関する基本機能とともに室内での扱いのし易さや、外観性も重視されるものであり、例えば実公平８―９２９１号公報に示されているようなものがある。この通風端末器は図１２に示すように、通風路を構成するパイプの室内開口部からパイプ内に挿通するフランジ５０を備えた筒部５１の室内側に室内通風路を構成したものである。室内通風路はフランジ５０とこれに枠部５２により間隔をおいて対向させた前面板５３とにより構成され、枠部５２により天井側に向って開口するように構成されている。筒部５１の室内側の開口端は、外観性を考慮して構成された前面板５３により被冠され、天井側に開口した室内開口部５４から抜き差しできるフィルター５５により塵埃が除去されるようになっている。
【０００３】
【発明が解決しようとする課題】
上記のような従来の通風端末器においては、一方向から仕切構造に沿って通風されることになるため当該部分の仕切構造の表面が他の部分より汚れ易いうえ、フィルター５５の様子も簡単には分らず、フィルター５５が汚れた状態のまま使用されることになり易いといった問題点があった。また、フィルター５５の取扱いも天井側の室内開口部５４から行なわなくてはならず、高所に取付けられた場合、フィルター５５の保守・点検がとてもし辛く使い勝手が良くないものであった。さらに、意匠面を構成する前面板５３の向きを取付け場所の建材等の調子に合せて変えたくても、本体の取付方向によって前面板５３の向きも決定付けられてしまうため、それに対応することはできない不便さもあった。
【０００４】
本発明は上記した従来の問題点を解消するためになされたものであって、その課題とするところは、取付方向についての自由度が高い通風端末器を得ることであり、取付方向についての自由度が高く、フィルターの取扱いが容易な通風端末器を得ることであり、その通風端末器の通風性能の向上や意匠の自由性や使い勝手の向上を推進することである。
【０００５】
【課題を解決するための手段】
前記課題を達成するために請求項１の発明は、室内外を仕切る仕切構造に構成された通風路にその室内側開口端から挿通できる両端の開口した接続筒部と、この接続筒部の室内側端に形成され、接続筒部の端から半径方向へ張出したフランジ部とを有する本体に対して、その接続筒部の室内側の開口部を四箇所の角部において方形をなして囲む四本の脚部をフランジ部の室内側に突出して設け、この本体のフランジ部の脚部により囲まれる方形部分を接続筒部の室内側の開口部から所定の角度で拡開するラッパ状に形成し、脚部の基部にはその内側にフィルターを、二本の脚部の間から抜き差し可能に装着しうるフィルター差込み構造を設け、脚部の自由端側には化粧パネルを取付ける手段を採用する。
【０００６】
前記課題を達成するために請求項２の発明は、室内外を仕切る仕切構造に構成された通風路にその室内側開口端から挿通できる両端の開口した接続筒部と、この接続筒部の室内側端に形成され、その接続筒部の端から半径方向へ張出したフランジ部とを有する本体と、本体のフランジ部の室内側に着脱可能に装着されたフィルターと、フィルターの室内側にフィルターとの間に間隔を保持して設けられた化粧パネルとを備えた通風端末器について、その本体の接続筒部の室内側の開口部を四箇所の角部において方形をなして囲む四本の脚部を、フランジ部の室内側に突出して設け、この本体のフランジ部の脚部により囲まれる方形部分を接続筒部の室内側の開口部から所定の角度で拡開するラッパ状に形成し、フィルターを、通風可能に構成したフィルター枠に収納して、脚部の基部の内側に形成したフィルター差込み構造に二本の脚部の間から抜き差し可能に装着し、化粧パネルを各脚部の自由端側に取付ける手段を採用する。
【０００７】
前記課題を達成するために請求項３の発明は、請求項２に係る前記手段におけるフィルター枠を表裏同形に構成するとともに、このフィルター枠の周側部の表裏双方にフランジ部のラッパ状部分に嵌合する斜面を設ける手段を採用する。
【０００８】
前記課題を達成するために請求項４の発明は、請求項３に係る前記手段におけるフランジ部のラッパ状の部分の斜面の長さよりフィルター枠の斜面の長さを短くする手段を採用する。
【００１２】
【発明の実施の形態】
次に本発明の実施の形態を図面に基づいて説明する。
実施の形態１．
図１〜図４によって示すこの実施の形態１は、室内外を仕切る壁や天井等の仕切構造にパイプ等により構成された給気又は排気のための通風路の室内側開口端に装着する通風端末器に関するものである。この通風端末器はその本体１が、図１に示すように通風路にその室内側開口端から挿通できる両端の開口した接続筒部２と、接続筒部２の室内側端に一体に形成された半径方向へ張出す四角形のフランジ部３とにより構成されている。フランジ部３は仕切構造の表面に当接する背面については平面に構成されているが、前面は接続筒部２の室内側開口部４を囲む四角形の平面部５と、この平面部５から傾斜面６をなしてラッパ状に拡開する拡開部分７と、この拡開部分７の四周を囲む額縁状の外周部８とからなる浅底容器状に形成されている。
【００１３】
フランジ部３の外周部８における拡開部分７の四偶部に対応する部分には、方形をなし拡開部分７を囲む四本のアングル状の脚部９が前面側に突出して一体に形成されている。この四本の脚部９の隣接する二本の基部にノックアウトにより開放できるフィルター差込み構造１０が形成され、この脚部９間の外周部８にはフィルターの摘みが係合する係合凹部１１が形成されている。また、他の二本の脚部９にはその基部の内側にフィルターを掛止める突起１２がそれぞれ内向き形成されている。フィルター差込み構造１０を持つ脚部９と、突起１２を持つ脚部９との中間の外周部８には、フィルターを保持するフック状の突出片１３が向き合った形態に一体に形成されている。各脚部９の自由端側の内面には、図３，４に示すように自由端側が斜面構成１４で、基部側が直面構成１５の掛止構造１６が内向きに突出して一体に形成されている。また、フランジ部３の拡開部分７の四隅部には本体１を仕切構造にネジ付けするための取付孔１７が形成されている。
【００１４】
上記構成の本体１の前面に図２に示すような化粧パネル１８が、本体１の前面を被冠する形態に装着されて通風端末器が構成される。化粧パネル１８は前面の意匠面に建材等の表面構成に合った色彩や模様が施され、背面の四隅部には各脚部９の内面に密接する形状の取付脚１９が図２，３，４に示すように突出して形成されている。各取付脚１９の先端側には脚部９の掛止構造１６に押込みにより係合し掛止る窓状の係合部２０が開設されている。各脚部９に各取付脚１９を対応させ各脚部９の内側に沿って取付脚１９を押し込むことにより、掛止構造１６に係合部２０が係合し抜止め状態となって化粧パネル１８が装着される（図３，４参照）。化粧パネル１８は、９０度ずつ回転させた状態に取付けることができ、取付場所の仕切構造の調子に合う意匠面とすることが簡単に行ないうる。
【００１５】
この通風端末器は、天井や壁等に構成された通風路の室内側開口端に接続筒部２を差込み仕切構造にネジ付けして取付けられるが、フィルターを装着しない場合には取付け方向は自由に設定することができる。そして、給気のための通風路に装着した場合、フランジ部３の拡開部分７により風路に急拡大がなくなり圧力損失が少なくなるうえ、仕切構造の表面から離れる方向へ通風がなされることになるため仕切構造が汚れたりすることを防止することができる。通風の方向は各脚部９間の四方向であり、一方向に集中しないので、仕切構造の一部が集中的に汚れたりすることも回避することができる。
【００１６】
実施の形態２．
図５〜図１１によって示すこの実施の形態２は、実施の形態１で示した通風端末器にフィルターを装備し通風を浄化する機能を付与した通風端末器に関するものである。本体及び化粧パネルに関する構成は基本的に実施の形態１のものと同じである。従って、実施の形態１のものと同じ部分については実施の形態１のものと同一の符号を用い、それらについての説明は省略する。
【００１７】
図５，７に示すように本体１の二本の脚部９には予めフィルター差込み構造１０が切欠かれて形成されている。フィルター２１はフランジ部３における四本の脚部９に囲まれる方形部分に嵌合する箱状のフィルター枠２２に収められている。フィルター枠２２は図６に示すように表裏同形に構成され、対象形状の表側部分と裏側部分とが一辺においてヒンジ結合されている。方形の外枠部分２３の内側にはフィルター２１を押えるリブ２４が形成され、外枠部分２３に囲まれる通風部には格子２５が形成されている。外枠部分２３の周側部は表裏双方に本体１のフランジ部３の拡開部分７に嵌合する斜面２６が形成され、ヒンジ結合側に対向する外枠部分２３には摘み２７が一体に形成されている。摘み２７の中央には本体１の係合凹部１１に係合し掛止る引掛部２８が形成されている。このフィルター枠２２を図６に示すように展開形態にして、扁平な六面体に構成されたフィルター２１を外枠部分２３の内部に収め、表側部分と裏側部分とを合わせることによりフィルター本体２９が構成される。
【００１８】
このフィルター本体２９は、本体１のフィルター差込み構造１０のある脚部９間からヒンジ結合側を向けて差込むことにより本体１に装着される。フィルター本体２９の装着において表裏の区別をする必要はなく扱い易い。本体１に装着されたフィルター本体２９は、二本の脚部９に形成された突起１２と、フック状の突出片１３とフィルター差込み構造１０の端面と、摘み２７の引掛部２８の係合凹部１１への係合により安定した状態に保持される（図９，１０参照）。フィルター本体２９の離脱は摘み２７を掴んで引抜けばよく、フィルター本体２９の取扱いは容易である。この通風端末器は、天井面にフランジ部３が沿う状態に取付ける場合には取付方向を特に限定する必要はないが、壁面にフランジ部３が沿う状態に取付ける場合にはフィルター本体２９の抜差し方向が下向きにならないような取付方向にする。いずれにしても、取付方向に関する自由度は従来のものより高く、フィルター本体２９が周囲のどの方向からも目視できるので、汚れ具合も容易に分りフィルターの保守・点検がし易く、使い勝手も良い。これ以外の機能や利点は実施の形態１のものと同じである。ただし、フィルター本体２９を装着した状態ではフランジ部３の拡開部分７は塞がれ、その機能を果たさなくなるが、フィルター本体２９の外枠部分２３の斜面２６を拡開部分７の傾斜面６より短く構成することにより、フィルター本体２９を装着しても拡開部分７の一部が残り拡開部分７を機能態にすることができる。
【００１９】
【発明の効果】
以上実施の形態での説明からも明らかなように、請求項１の発明によれば取付方向についての自由度が高く通風性能がよく、仕切構造への汚れの付着も回避できる通風端末器が得られる。
【００２０】
請求項２の発明によれば、取付方向についての自由度が高く、フィルターの取扱いが容易で、仕切構造への汚れの付着も回避できる通風端末器が得られる。
【００２１】
請求項３の発明によれば、請求項２に係る前記効果とともにフィルターの安定性が向上する。
【００２２】
請求項４の発明によれば、請求項３に係る前記効果とともに通風性能が向上する。
【図面の簡単な説明】
【図１】実施の形態１の通風端末器の本体を示す斜視図である。
【図２】実施の形態１の通風端末器の化粧パネルの背面側の構成を示す斜視図である。
【図３】実施の形態１の通風端末器の化粧パネルの取付け形態を示す斜視図である。
【図４】実施の形態１の通風端末器の化粧パネルの取付け形態を示す斜視図である。
【図５】実施の形態２の通風端末器を示す分解斜視図である。
【図６】実施の形態２の通風端末器のフィルター本体を示す斜視図である。
【図７】実施の形態２の通風端末器を組立て途中の状態で示す斜視図である。
【図８】実施の形態２の通風端末器を示す斜視図である。
【図９】実施の形態２の通風端末器の摘みと係合凹部の関係を示す斜視図である。
【図１０】実施の形態２の通風端末器の摘みを示す部分斜視図である。
【図１１】実施の形態２の通風端末器の断面図である。
【図１２】従来の通風端末器を示す分解斜視図である。
【符号の説明】
１  本体、  ２  接続筒部、  ３  フランジ部、  ４  室内側開口部、  ６  傾斜面、  ７  拡開部分、  ９  脚部、  １０  フィルター差込み構造、  １１係合凹部、  １３  突出片、  １６  掛止構造、  １８  化粧パネル、  １９取付脚、  ２０  係合部、  ２１  フィルター、  ２２  フィルター枠、  ２６  斜面。
【図１】
0003627517.tif 000002
【図２】
0003627517.tif 000003
【図３】
0003627517.tif 000004
【図４】
0003627517.tif 000005
【図５】
0003627517.tif 000006
【図６】
0003627517.tif 000007
【図７】
0003627517.tif 000008
【図８】
0003627517.tif 000009
【図９】
0003627517.tif 000010
【図１０】
0003627517.tif 000011
【図１１】
0003627517.tif 000012
【図１２】
0003627517.tif 000013